(57)【要約】【課題】本願が開示する技術は、一つの側面として、電子装置を小型化することを目的とする。【解決手段】表示装置２０は、爪部５２が設けられた第１側壁部３４を有するバックケース３０と、第１側壁部３４の第１端部３４Ａが突き合わされる第２端部４４Ａが形成されて爪部５２が内側から係止される第２側壁部４４を有するフロントケース４０とを備えている。第１側壁部３４の第１端部３４Ａには、係合突起５４が形成されている。一方、第２側壁部４４の第２端部４４Ａには、係合突起５４が挿入される挿入溝６６が形成されている。この挿入溝６６の一方の溝壁部６６Ａは、係合突起５４の内側に配置される。【選択図】図４Ｂ
2015070068.tif 000002
【特許請求の範囲】
【請求項１】
爪部が設けられた第１側壁部を有する第１ケースと、
前記第１側壁部の端部が突き合わされる端部が形成されて前記爪部が内側から係止される第２側壁部を有する第２ケースと、
前記第１側壁部の前記端部に形成された第１係合部と、
前記第２側壁部の前記端部に形成され、前記第１係合部の内側に配置される第２係合部と、
を備えた電子装置。
【請求項２】
前記爪部が、前記第１側壁部から前記第２側壁部の内壁面に沿って延出する支持片に設けられ、
前記第１係合部が、前記支持片よりも前記第１側壁部の外壁面側に位置している、
請求項１に記載の電子装置。
【請求項３】
前記第１係合部が、前記第１側壁部の前記端部から前記第２側壁部側へ向けて突出し、
前記第２側壁部の前記端部には、前記第１係合部が挿入される挿入溝が形成され、
前記第２係合部が、前記挿入溝の溝壁部とされている、
請求項１または請求項２に記載の電子装置。
【請求項４】
前記第２側壁部の前記端部には、該端部の内壁面から突出する突出部が形成され、
前記挿入溝が、前記突出部によって肉厚とされた前記第２側壁部の肉厚部に形成されている、
請求項３に記載の電子装置。
【請求項５】
前記第１ケースと前記第２ケースとの間に収容された表示パネルを備え、
前記突出部には、前記表示パネルの側面と対向する位置決め部が形成されている、
請求項４に記載の電子装置。
【発明の詳細な説明】
【技術分野】
【０００１】
本願が開示する技術は、電子装置に関する。
【背景技術】
【０００２】
表示パネルと、表示パネルの背面側に配置されるバックケースと、表示パネルの前面側に配置されるフロントケースとを備えた電子装置が知られている（例えば、特許文献１参照）。
【先行技術文献】
【特許文献】
【０００３】
【特許文献１】特開２００９−３６８４２号公報
【発明の概要】
【発明が解決しようとする課題】
【０００４】
ところで、バックケース及びフロントケースの側壁部同士を突き合わせて組み付ける組付構造としては、例えば、フロントケースの側壁部に設けられた爪部をバックケースの側壁部に内側から係止することが考えられる。しかしながら、この組付構造では、爪部が設けられたフロントケースの側壁部が内側へ変形すると、爪部が係止部から外れる虞がある。
【０００５】
この対策として、バックケースの底壁部から立ち上げられた突起リブをフロントケースの側壁部の内側に設置することで、この側壁部の内側への変形を抑制することが考えられる。しかしながら、フロントケースの側壁部の内側に突起リブを設置すると、突起リブの設置スペース分、電子装置が大型化する可能性がある。
【０００６】
本願が開示する技術は、一つの側面として、電子装置を小型化することを目的とする。
【課題を解決するための手段】
【０００７】
本願が開示する技術に係る電子装置は、爪部が設けられた第１側壁部を有する第１ケースと、第１側壁部の端部が突き合わされる端部が形成されて爪部が内側から係止される第２側壁部を有する第２ケースと、を備えている。第１側壁部の端部には、第１係合部が形成されている。また、第２側壁部の端部には、第１係合部の内側に配置される第２係合部が形成されている。
【発明の効果】
【０００８】
本願が開示する技術によれば、一つの側面として、電子装置を小型化することができる。
【図面の簡単な説明】
【０００９】
【図１】図１は、一実施形態に係る電子機器を前側から見た斜視図である。
【図２】図２は、図１に示される電子機器を後側から見た斜視図である。
【図３】図３は、図１に示される表示装置の全体を示す分解斜視図である。
【図４Ａ】図４Ａは、図１に示される表示装置の側部を示す分解斜視図である。
【図４Ｂ】図４Ｂは、図４Ａの一点鎖線で囲まれた領域の拡大図である。
【図５】図５は、図４Ｂに示される爪部及び切欠き溝を示す表示装置の平断面図である。
【図６】図６は、図４Ｂに示される係合突起及び挿入溝を示す表示装置の平断面図である。
【図７Ａ】図７Ａは、比較例に係る表示装置を示す図４Ｂに対応する拡大図である。
【図７Ｂ】図７Ｂは、図７Ａに示される突起リブを示す表示装置の平断面図である。
【図８Ａ】図８Ａは、図４Ｂに示される係合突起及び挿入溝の変形例を示す平断面図である。
【図８Ｂ】図８Ｂは、図４Ｂに示される係合突起の変形例を示す平断面図である。
【発明を実施するための形態】
【００１０】
以下、図面を参照しながら本願が開示する技術の一実施形態について説明する。なお、各図において適宜示される矢印Ｘは、表示装置の前後方向の前側を示している。また、矢印Ｙは、表示装置の幅方向の外側を示している。さらに、矢印Ｚは、表示装置の上下方向の上側を示している。
【００１１】
図１及び図２に示されるように、本実施形態に係る電子機器１０は、本体装置１２と、スタンド１６と、表示装置２０とを備えている。この電子機器１０は、一例として、本体装置１２に表示装置２０が一体化されたデスクトップ型のパーソナルコンピュータとされている。なお、表示装置２０は、電子装置の一例である。
【００１２】
本体装置１２は、ＣＰＵ等の電子部品が実装された基板等を収容する筐体１４を有している。筐体１４は、薄型の箱状に形成されており、後述する表示装置２０のバックケース３０に組み付けられている。また、本体装置１２は、スタンド１６に傾倒可能に支持されている。
【００１３】
図３に示されるように、表示装置２０は、表示パネル２２と、表示パネル２２を収容する筐体２４とを有している。表示パネル２２は、例えば、液晶パネルとされている。この表示パネル２２の前面は、画像や映像等を表示する表示面２２Ａとされている。
【００１４】
筐体２４は、薄型の箱状に形成されている。この筐体２４は、表示パネル２２の厚さ方向（前後方向）に分割されたバックケース３０及びフロントケース４０を有している。バックケース３０は、表示パネル２２の背面側に配置される。一方、フロントケース４０は、表示パネル２２の前面側に配置される。このバックケース３０とフロントケース４０との間に、表示パネル２２が収容される。なお、バックケース３０及びフロントケース４０は、例えば、樹脂で形成されている。また、バックケース３０は、第１ケースの一例である。また、フロントケース４０は、第２ケースの一例である。
【００１５】
バックケース３０は、表示パネル２２の上部及び両側の側部を背面側から覆う背面カバー部３２と、背面カバー部３２の外周縁部から立ち上げられた第１側壁部３４とを有している。背面カバー部３２は、下側が開口されたＵ字状に形成されている。この背面カバー部３２の開口３２Ａに、前述した本体装置１２の筐体１４が組み付けられる。また、第１側壁部３４は、背面カバー部３２の外周縁部からフロントケース４０側へ延出している。この第１側壁部３４は、背面カバー部３２の上縁部及び両側の側縁部に沿ってＵ字状に形成されている。
【００１６】
フロントケース４０は、表示パネル２２の外周部を前面側から覆う前面カバー部４２と、前面カバー部４２の外周縁部から立ち上げられた第２側壁部４４とを有している。前面カバー部４２は矩形の枠状に形成されている。この前面カバー部４２の窓部４２Ａから表示パネル２２の表示面２２Ａが露出される。
【００１７】
第２側壁部４４は、前面カバー部４２の外周縁部からバックケース３０側へ延出している。また、第２側壁部４４は、前面カバー部４２の全周に亘って矩形の環状に形成されている。この第２側壁部４４の内側に、表示パネル２２が収容される。
【００１８】
ここで、バックケース３０とフロントケース４０との組付構造４８について説明する。なお、以下では、図４Ａ及び図４Ｂに示されるように表示装置２０の筐体２４の側部に適用された組付構造４８について説明するが、この組付構造４８は筐体２４の上部及び下部にも適用可能である。
【００１９】
図５及び図６に示されるように、バックケース３０とフロントケース４０とは、第１側壁部３４の端部（以下、「第１端部」ともいう）３４Ａと第２側壁部４４の端部（以下、「第２端部」ともいう）４４Ａとを突き合わせた状態で組み付けられる。より具体的には、バックケース３０とフロントケース４０とは、第１端部３４Ａの第１端面３４Ａ１と第２端部４４Ａの第２端面４４Ａ１とを突き合わせた状態で組み付けられる。
【００２０】
図４Ｂに示されるように、第１端部３４Ａには、支持片５０及び係合突起５４が設けられている。支持片５０及び係合突起５４は、第１端部３４Ａに沿う方向（矢印Ｋ方向）にずれて配置されている。
【００２１】
なお、本実施形態では、一例として、第１端部３４Ａに形成された切欠き３６の底部に支持片５０及び係合突起５４がそれぞれ設けられている。また、第１側壁部３４の内壁面３４Ｓ１には、バックケース３０の前面カバー部４２（図５参照）との間で表示パネル２２を保持する保持リブ３８が設けられている。
【００２２】
図５に示されるように、支持片５０は、第１端部３４Ａにおける内壁面３４Ｓ１側から第２側壁部４４の内壁面４４Ｓ１に沿ってフロントケース４０側（前面カバー部４２側）へ延出している。この支持片５０は、第２側壁部４４の厚さ方向に弾性変形可能とされている。また、支持片５０の先端側には、第２側壁部４４側（筐体２４の外側）へ突出する爪部５２が設けられている。
【００２３】
爪部５２は、断面三角形状に形成されている。この爪部５２は、傾斜面５２Ａ及び係止面５２Ｂを有している。傾斜面５２Ａは、支持片５０の延出方向の先端部から第２側壁部４４側へ向うに従って第１側壁部３４側へ傾斜している。また、係止面５２Ｂは、爪部５２における第１側壁部３４側に形成され、第１側壁部３４側を向いている。
【００２４】
一方、表示パネル２２の側面２２Ｂと対向する第２側壁部４４の内壁面４４Ｓ１には、爪部５２が挿入される切欠き溝６０が形成されている。切欠き溝６０は、第１側壁部３４と反対側を向く溝壁部６２を有している。この溝壁部６２の溝壁面は、爪部５２の係止面５２Ｂが第１側壁部３４と第２側壁部４４との突き合わせ方向（矢印Ｔ方向、以下「突合せ方向」ともいう）に係止される被係止面６２Ａとされている。なお、溝壁部６２は、被係止部の一例である。
【００２５】
図６に示されるように、係合突起５４は、第１端部３４Ａの厚さ方向の中央部から第２側壁部４４側へ突出している。この係合突起５４は、支持片５０よりも第１側壁部３４の外壁面３４Ｓ２側に位置している。なお、係合突起５４は、第１係合部の一例である。
【００２６】
一方、第２側壁部４４の第２端部４４Ａには、内壁面４４Ｓ１からブロック状に突出する突出部６４が設けられている。この突出部６４によって、第２端部４４Ａに肉厚部４６が形成されている。肉厚部４６は、第２端部４４Ａの他の部位よりも筐体２４の内側へ肉厚とされている。
【００２７】
肉厚部４６には、係合突起５４が挿入される挿入溝６６が形成されている。挿入溝６６は、肉厚部４６の厚さ方向の中央部に形成されている。この挿入溝６６の互いに対向する一対の溝壁部６６Ａ，６６Ｂのうち、一方の溝壁部６６Ａは係合突起５４の内側（内壁面３４Ｓ１側）に配置され、他方の溝壁部６６Ｂは係合突起５４の外側（外壁面３４Ｓ２側）に配置されている。そして、一対の溝壁部６６Ａ，６６Ｂの何れかに係合突起５４が係合することにより、第１側壁部３４の厚さ方向に変形が規制される。なお、一方の溝壁部６６Ａは、第２係合部の一例である。
【００２８】
また、突出部６４の突出方向の先端部には、表示パネル２２の側面２２Ｂと対向する位置決め面６４Ａが形成されている。さらに、第２側壁部４４の内壁面４４Ｓ１には、突出部６４から第１側壁部３４と反対側へ延出し、突出部６４と前面カバー部４２とを接続する位置決めリブ６８が設けられている。
【００２９】
位置決めリブ６８は、表示パネル２２の側面２２Ｂと対向すると共に、突出部６４の位置決め面６４Ａと面一とされた位置決め面６８Ａを有している。そして、突出部６４及び位置決めリブ６８の位置決め面６４Ａ，６８Ａに表示パネル２２の側面２２Ｂを沿わせ、若しくは当接させることにより、フロントケース４０に対して表示パネル２２が位置決めされる。
【００３０】
次に、バックケース３０とフロントケース４０との組付方法を説明しつつ、本実施形態の作用及び効果について説明する。
【００３１】
先ず、フロントケース４０の第２側壁部４４の内側に、表示パネル２２を収納する。このとき、突出部６４及び位置決めリブ６８の位置決め面６４Ａ，６８Ａに表示パネル２２の側面２２Ｂを沿わせ、若しくは当接させることにより、フロントケース４０に対して表示パネル２２を位置決めする。
【００３２】
次に、第２側壁部４４に形成された第２端部４４Ａに対して、バックケース３０の第１側壁部３４の第１端部３４Ａを突き合わせる。このとき、第１側壁部３４の爪部５２の傾斜面５２Ａが第２側壁部４４の第２端部４４Ａに当接し、支持片５０が筐体２４の内側へ弾性変形する。これにより、爪部５２が第２端部４４Ａを乗り越え、第２側壁部４４の内壁面４４Ｓ１上をスライドする。そして、爪部５２が第２側壁部４４の切欠き溝６０に達すると、図５に示されるように、支持片５０の復元力によって爪部５２が切欠き溝６０に挿入される。これにより、爪部５２の係止面５２Ｂが切欠き溝６０の被係止面６２Ａに突合せ方向（矢印Ｔ方向）に係止され、フロントケース４０に対してバックケース３０が固定される。
【００３３】
ところで、第１側壁部３４が筐体２４の内側（矢印Ｕ方向）へ倒れるように変形すると、切欠き溝６０から爪部５２が抜け出し、係止面５２Ｂと被係止面６２Ａとの係止状態が解除される可能性がある。
【００３４】
これに対して本実施形態では、図６に示されるように、バックケース３０の第１端部３４Ａに係合突起５４が設けられている。この係合突起５４は、爪部５２が切欠き溝６０に挿入された状態で、第２端部４４Ａの挿入溝６６に挿入される。そして、第１側壁部３４が内側（矢印Ｕ方向）へ変形しようとすると、係合突起５４が挿入溝６６の内側の溝壁部６６Ａと係合する。これにより、第１側壁部３４の変形が規制されるため、係止面５２Ｂと被係止面６２Ａとの係止状態が解除されることが抑制される。
【００３５】
次に、比較例と対比しながら、本実施形態の作用及び効果についてさらに説明する。図７Ａ及び図７Ｂに示されるように、比較例に係る組付構造１００は、本実施形態の係合突起５４及び挿入溝６６に替えて、突起リブ１０２を備えている。なお、比較例に係る組付構造１００において、本実施形態と同じ構成の部品には同符号を付している。
【００３６】
突起リブ１０２は、フロントケース４０の前面カバー部４２から立ち上げられ、第１側壁部３４の第１端部３４Ａと表示パネル２２の側面２２Ｂとの間に設置される。そして、第１側壁部３４が内側（矢印Ｕ方向）へ変形しようとすると、第１側壁部３４が突起リブ１０２と係合する。これにより、第１側壁部３４の変形が規制される。
【００３７】
しかしながら、比較例に係る組付構造１００では、突起リブ１０２が第１壁部３４Ａと表示パネル２２の側面２２Ｂとの間に設置される。そのため、突起リブ１０２の設置スペース分、表示装置における表示パネル２２よりも外側の外周部（額縁部）の幅Ｗ０が広くなり易く、表示装置が大型化する可能性がある。
【００３８】
これに対して本実施形態では、図６に示されるように、第１端部３４Ａに係合突起５４が形成されると共に、第２端部４４Ａに挿入溝６６が形成されている。これにより、本実施形態では、比較例に係る組付構造１００と比べ、第２側壁部４４を表示パネル２２に接近させることができる。つまり、本実施形態では、表示装置２０における表示パネル２２よりも外側の外周部（額縁部）の幅Ｗ１を狭くすることができる。したがって、表示装置２０を小型化することができる。
【００３９】
また、係合突起５４は、支持片５０よりも第１側壁部３４の外壁面３４Ｓ２側に配置される。これにより、支持片５０と挿入溝６６の内側の溝壁部６６Ａとを第１端部３４Ａに沿う方向（図４Ｂの矢印Ｋ方向）にラップさせた状態で、当該溝壁部６６Ａを係合突起５４の内側に配置することができる。したがって、表示装置２０の外周部の幅Ｗ１をより狭くすることができる。
【００４０】
また、係合突起５４を挿入溝６６に挿入することにより、挿入溝６６の外側の溝壁部６６Ｂによって係合突起５４が覆い隠される。したがって、表示装置２０の外観を良好にすることができる。
【００４１】
さらに、挿入溝６６は、肉厚部４６に形成されている。これにより、挿入溝６６の内側の溝壁部６６Ａの強度を高めることができる。また、フロントケース４０が樹脂で形成されている場合には、挿入溝６６の外側の溝壁部６６Ｂの外壁面４４Ｓ２に発生するひけや反りが抑制される。したがって、表示装置２０の外観をさらに良好にすることができる。
【００４２】
しかも、肉厚部４６を形成する突出部６４には、フロントケース４０に対して表示パネル２２を位置決めする位置決め面６４Ａが形成されている。したがって、突出部６４とは別に、第２側壁部４４に位置決め部を設ける構成と比較して、フロントケース４０の構造を単純化することができる。
【００４３】
また、第２側壁部４４には、位置決め面６６Ａを有する位置決めリブ６８が設けられている。これにより、フロントケース４０に対する表示パネル２２を位置決め精度が向上する。さらに、位置決めリブ６８によって、突出部６４と前面カバー部４２とを接続することにより、挿入溝６６の内側の溝壁部６６Ａの強度をさらに高めることができる。
【００４４】
次に、上記実施形態の変形例について説明する。
【００４５】
上記実施形態では、第１端部３４Ａに係合突起５４を形成すると共に、第２端部４４Ａに挿入溝６６を形成した例を示したが、これに限らない。例えば、図８Ａに示されるように、第２端部４４Ａに第１側壁部３４側へ突出する係合突起７０を形成し、第１端部３４Ａに係合突起７０が挿入される挿入溝７２を形成しても良い。この場合、挿入溝７２の互いに対向する一対の溝壁部７２Ａ，７２Ｂのうち、第１側壁部３４の外壁面３４Ｓ２側の溝壁部７２Ｂの内側に係合突起７０が配置される。そして、第１側壁部３４が内側へ変形しようとすると、溝壁部７２Ｂが係合突起７０と係合する。これにより、第１側壁部３４の変形が抑制されるため、上記実施形態と同様の効果を得ることができる。なお、溝壁部７２Ｂは、第１係合部の一例である。また、係合突起７０は、第２係合部の一例である。
【００４６】
また、上記実施形態では、係合突起５４を挿入溝６６に挿入した例を示したが、これに限らない。例えば、図８Ｂに示されるように、第１端部３４Ａから第２側壁部４４側へ突出する係合突起７４の内側に、第２端部４４Ａから第１側壁部３４側へ突出する係合突起７６を配置しても良い。この場合も上記実施形態と同様に、第１側壁部３４の内側への変形を抑制することができる。なお、係合突起７４は、第１係合部の一例である。また、係合突起７６は、第２係合部の一例である。
【００４７】
また、上記実施形態では、爪部５２を切欠き溝６０に係止した例を示したが、これに限らない。例えば、第２側壁部４４の内壁面４４Ｓ１から突出する被係止部の一例としての突起部に、爪部５２を係止しても良い。また、爪部５２及び切欠き溝６０の形状や配置は、適宜変更可能である。さらに、位置決めリブ６８及び突出部６４は、適宜省略可能である。
【００４８】
また、上記実施形態は、表示装置２０に限らず、例えば、電子装置の一例としての携帯端末、タブレット端末、電子辞書等の筐体にも適用可能である。
【００４９】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００５０】
なお、以上の実施形態に関し、さらに以下の付記を開示する。
【００５１】
（付記１）
爪部が設けられた第１側壁部を有する第１ケースと、
前記第１側壁部の端部が突き合わされる端部が形成されて前記爪部が内側から係止される第２側壁部を有する第２ケースと、
前記第１側壁部の前記端部に形成された第１係合部と、
前記第２側壁部の前記端部に形成され、前記第１係合部の内側に配置される第２係合部と、
を備えた電子装置。
（付記２）
前記爪部が、前記第１側壁部から前記第２側壁部の内壁面に沿って延出する支持片に設けられ、
前記第１係合部が、前記支持片よりも前記第１側壁部の外壁面側に位置している、
付記１に記載の電子装置。
（付記３）
前記第１係合部が、前記第１側壁部の前記端部から前記第２側壁部側へ向けて突出し、
前記第２側壁部の前記端部には、前記第１係合部が挿入される挿入溝が形成され、
前記第２係合部が、前記挿入溝の溝壁部とされている、
付記１または付記２に記載の電子装置。
（付記４）
前記第２側壁部の前記端部には、該端部の内壁面から突出する突出部が形成され、
前記挿入溝が、前記突出部によって肉厚とされた前記第２側壁部の肉厚部に形成されている、
付記３に記載の電子装置。
（付記５）
前記第１ケースと前記第２ケースとの間に収容された表示パネルを備え、
前記突出部には、前記表示パネルの側面と対向する位置決め部が形成されている、
付記４に記載の電子装置。
（付記６）
前記爪部と前記突出部とが、前記第１側壁部の前記端部に沿う方向にずれている、
付記４または付記５に記載の電子装置。
（付記７）
前記第２側壁部の内壁面には、前記突出部から前記第１側壁部と反対側へ延出する位置決めリブが設けられている、
付記４〜付記６の何れか一つに記載の電子装置。
（付記８）
前記爪部が、前記支持片の延出方向の先端側から前記第２側壁部へ向けて突出し、
前記第２側壁部の内壁面には、前記爪部が前記第１側壁部と前記第２側壁部との突き合わせ方向に係止される被係止部が設けられている、
付記２〜付記７の何れか一つに記載の電子装置。
（付記９）
前記第２側壁部の内壁面には、前記爪部が挿入される切欠き溝が形成され、
前記被係止部が、前記第１側壁部とは反対側を向く前記切欠き溝の溝壁部とされている、
付記８に記載の電子装置。
（付記１０）
前記第１ケースが、前記表示パネルの背面側に配置されるバックケースとされ、
前記第２ケースが、前記表示パネルの前面側に配置されるフロントケースとされている、
付記４〜付記７の何れか一つに記載の電子装置。
【符号の説明】
【００５２】
１０      電子機器
２０      表示装置（電子装置の一例）
２２      表示パネル
２２Ｂ    側面（表示パネルの側面の一例）
３０      バックケース（第１ケースの一例）
３４      第１側壁部
３４Ａ    第１端部（第１側壁部の端部の一例）
３４Ｓ２  外壁面（第１側壁部の外壁面の一例）
４０      フロントケース（第２ケースの一例）
４４      第２側壁部
４４Ａ    第２端部（第２側壁部の端部の一例）
４６      肉厚部
５０      支持片
５２      爪部
５４      係合突起
６０      切欠き溝
６２      溝壁部（被係止部の一例）
６４      突出部
６４Ａ    位置決め面（位置決め部の一例）
６６      挿入溝
６６Ａ    溝壁部（第２係合部の一例）
６８      位置決めリブ
７０      係合突起（第２係合部の一例）
７２Ｂ    溝壁部（第１係合部の一例）
７４      係合突起（第１係合部の一例）
７６      係合突起（第２係合部の一例）
【図１】
2015070068.tif 000003
【図２】
2015070068.tif 000004
【図３】
2015070068.tif 000005
【図４Ａ】
2015070068.tif 000006
【図４Ｂ】
2015070068.tif 000007
【図５】
2015070068.tif 000008
【図６】
2015070068.tif 000009
【図７Ａ】
2015070068.tif 000010
【図７Ｂ】
2015070068.tif 000011
【図８Ａ】
2015070068.tif 000012
【図８Ｂ】
2015070068.tif 000013